(57)【要約】【課題】　発生する騷音／震動及び熱を最小化できるプラズマディスプレイパネルを提供する。【解決手段】　本発明に係るプラズマディスプレイパネルは画像を表示する表示パネルとそれに重ねる放熱用のフレームとの間に多孔質パッドを取り付けたことを特徴とする。【選択図】図３ａ
2004038173.tif 000002
【特許請求の範囲】
【請求項１】
　画像を表示する表示パネルと、その表示パネルに取り付けられる多孔質パッドとを具備することを特徴とするプラズマディスプレイパネル。
【請求項２】
　前記多孔質パッドは騷音／震動を吸収して熱を伝導する材質からなることを特徴とする請求項１記載のプラズマディスプレイパネル。
【請求項３】
　前記表示パネルに駆動信号を供給するための回路要素が実装された印刷回路基板と、前記多孔質パッドと前記印刷回路基板の間に配置される放熱板をさらに具備することを特徴とする請求項１記載のプラズマディスプレイパネル。
【請求項４】
　前記表示パネルと前記多孔質パッドの間に形成される熱伝導機能を持つ両面テープをさらに具備することを特徴とする請求項１記載のプラズマディスプレイパネル。
【請求項５】
　前記表示パネルの前面に設置されて前記表示パネルから放出される光の透過率を調節するフィルターガラスと、前記印刷回路基板を覆うバックカバーをさらに具備することを特徴とする請求項３記載のプラズマディスプレイパネル。
【請求項６】
　前記印刷回路基板と前記バックカバーの間に形成される第２多孔質パッドをさらに具備することを特徴とする請求項５記載のプラズマディスプレイパネル。
【請求項７】
　前記多孔質パッドはシリコン材質と発泡剤の混合物であることを特徴とする請求項１または請求項６記載のプラズマディスプレイパネル。
【請求項８】
　前記発泡剤はポリウレタンフォームを含有することを特徴とする請求項７記載のプラズマディスプレイパネル。
【請求項９】
　前記多孔質パッド上に塗布される粘着剤をさらに具備することを特徴とする請求項７記載のプラズマディスプレイパネル。
【請求項１０】
　前記粘着剤はアクリル材質であることを特徴とする請求項９記載のプラズマディスプレイパネル。
【請求項１１】
　前記多孔質パッドはほぼ８９％程度の前記シリコン材質に、ほぼ１０％程度の前記発泡剤と、ほぼ１％程度の前記粘着剤が混合されることを特徴とする請求項９記載のプラズマディスプレイパネル。
【請求項１２】
　前記第２多孔質パッドは騷音／震動を吸収する材質からなることを特徴とする請求項６記載のプラズマディスプレイパネル。
【請求項１３】
　画像を表示する表示パネルと、前記表示パネルの背面に隣接したフレームと、前記フレームの背面に隣接して固定部材により接続される印刷回路基板と、前記表示パネルと前記フレームの間に配置されて前記表示パネルの駆動の際に発生する騷音／震動を吸収して前記騷音／震動が前記フレームに伝わるのを最小化する多孔質パッドを具備することを特徴とするプラズマディスプレイパネル。
【請求項１４】
　前記多孔質パッドは騷音／震動を吸収すると同時に前記表示パネルから前記フレームに熱を伝えるように熱伝導性物質からなることを特徴とする請求項１３記載のプラズマディスプレイパネル。
【請求項１５】
　前記多孔質パッドはシリコンと発泡剤の混合物であることを特徴とする請求項１４記載のプラズマディスプレイパネル。
【請求項１６】
　前記多孔質パッドは接着層を持ち、前記接着層により前記表示パネルと前記フレームが接着されることを特徴とする請求項１５記載のプラズマディスプレイパネル。
【請求項１７】
　前記多孔質パッドはほぼ８９％程度のシリコンと、１０％程度の発泡剤と、１％の粘着剤でなることを特徴とする請求項１６記載のプラズマディスプレイパネル。
【請求項１８】
　前記表示パネルを覆う前面カバー及び前記印刷回路基板を覆う第２多孔質パッドを含むバックカバーを有するセットケースをさらに具備し、前記第２多孔質パッドは前記印刷回路基板から前記表示パネルへの駆動信号供給の際に発生する騷音／震動を吸収するために前記印刷回路基板に隣接した内部表面に接着されることを特徴とする請求項１７記載のプラズマディスプレイパネル。
【請求項１９】
　前記表示パネルを覆う前面カバー及び前記印刷回路基板に隣接した内部表面に接着された第２多孔質パッドを含む前記印刷回路基板側を覆うバックカバーを有するセットケースをさらに具備し、前記第２多孔質パッドは前記印刷回路基板から上記表示パネルへの駆動信号供給の際に発生される騷音／震動を吸収することを特徴とする請求項１３記載のプラズマディスプレイパネル。
【請求項２０】
　前記多孔質パッドは騷音／震動を吸収することができて前記表示パネルから前記フレームに熱を伝えるようにシリコンと発泡剤の混合物からなることを特徴とする請求項１９記載のプラズマディスプレイパネル。
【請求項２１】
　前記多孔質パッドは前記表示パネルと前記フレームに接着されるアクリル接着剤の層を持ち、前記多孔質パッドはほぼ８９％程度のシリコンと、１０％程度の発泡剤と、１％程度の粘着剤を持つことを特徴とする請求項２０記載のプラズマディスプレイパネル。
【発明の詳細な説明】
【技術分野】
【０００１】
　本発明はプラズマディスプレイパネルに関し、特に、プラズマディスプレイパネルで発生する騷音／震動及び熱を最小化できるプラズマディスプレイパネルに関する。
【従来の技術】
【０００２】
　最近、陰極線管の短所である重さと容積を減らすことができる各種のフラットパネルディスプレイが開発されている。このようなフラットパネルディスプレイは液晶表示装置、電界放出表示装置、プラズマディスプレイパネル（ＰＤＰと言う）及びエレクトロルミネセンス表示装置などがある。
【０００３】
　このようなフラットパネルディスプレイの中でＰＤＰは速い応答速度を持つと同時に大面積の画像を表示するのに適しているので、高解像度テレビ、モニター及び屋内外広告用ディスプレイなどに利用されている。ＰＤＰは、Ｈｅ＋Ｘｅ、Ｎｅ＋Ｘｅ、Ｈｅ＋Ｘｅ＋Ｎｅなどの不活性混合ガスが放電する際に発生する紫外線で蛍光体を発光させて画像を表示している。
【０００４】
　図１ａと図１ｂは従来のプラズマディスプレイパネルの内部構造を示す図である。この図を参照すると、従来のＰＤＰは画像を表示する表示パネル（２）と、フレーム（または、放熱板）（８）と、印刷回路基板（１６）を備えている。表示パネル（２）は前面基板（６）と背面基板（４）を備えている。背面基板（４）には図示しない蛍光体が塗布される。前面基板（６）は蛍光体で発生した光を透過させて所定の像を表示する。
【０００５】
　表示パネル（２）の背面基板（４）には熱伝導機能が高い両面テープ（１２）を付着させて、この両面テープ（１２）により表示パネル（２）とフレーム（８）とを接着させる。したがって、両面テープ（１２）は表示パネル（２）駆動の際に発生する熱をフレーム（８）へ伝える。このような両面テープ（１２）は密度と硬度が高くて熱伝導機能が高いので、表示パネル（２）駆動の際に発生する熱を良くフレーム（８）に伝える。したがって、フレーム（８）は表示パネル（２）を支持するとと同時に表示パネル（２）の駆動の際に発生する熱を放熱させる役をも果たしている。
【０００６】
　印刷回路基板（１６）はフレーム（８）に取り付けられて表示パネル（２）に所定の駆動信号を供給する。このために、印刷回路基板（１６）と表示パネル（２）は図示しないフレキシブル配線板（ＦＰＣ）により連結される。一方、印刷回路基板（１６）とフレーム（８）はねじ（１０）により連結される。そのため、フレーム（８）はねじ（１０）を挿入させることができる突出部（１４）を備えている。
【０００７】
　このような、従来のＰＤＰは出荷される際にＰＤＰを収容するセットケース（２０）を用意して図２に示したようにその中にセットする。セットケース（２０）はフィルターガラス（１８）とバックカバー（１７）からなる。フィルターガラス（１８）は表示パネル（２）から放出される光の透過率を調節する。バックカバー（１７）は外部の衝撃からＰＤＰを保護する。
【０００８】
　このような、従来のＰＤＰは表示パネル（２）駆動の際に発生する熱だけでなく震動による騷音／震動が両面テープ（１２）を通してフレーム（８）に伝わる。この表示パネル（２）駆動の際に発生する騷音／震動は表示パネル（２）内部的な要素により発生している。ＰＤＰは、背面基板（４）と前面基板（６）が間に隔壁を置いて対面させて配置されており、プラズマ放電の際に生成したイオンが前面基板（６）に衝突する。その際、隔壁の高さが不均一で隔壁と前面基板（６）と間に段差があると、イオンが衝突する力により段差がある隔壁と前面基板（６）の間で震動が発生する。このような、放電セル内の隔壁と前面基板（６）との震動により表示パネル（２）全体で騷音／震動が発生する。
【０００９】
　表示パネル（２）駆動の際に発生する熱は両面テープ（１２）を通してフレーム（８）から放熱されるが、表示パネル（２）駆動の際に発生する騷音／震動は印刷回路基板（１６）に実装された電子部品などで発生する騷音／震動と重畳される。すなわち、表示パネル（２）で発生する騷音／震動は密度が高い両面テープ（１２）を通してフレーム（８）へ伝わり印刷回路基板（１６）で発生する騷音／震動と重畳される。したがって、ＰＤＰの後面で発生した騷音／震動が印刷回路基板（１６）自体で発生する騷音／震動に比べて大きく増幅される。
【発明の開示】
【発明が解決しようとする課題】
【００１０】
　従って、本発明の目的はプラズマディスプレイパネルで発生する騷音／震動を最小化できるプラズマディスプレイパネルを提供することにある。
　本発明の他の目的はプラズマディスプレイパネルで発生する熱を最小化できるプラズマディスプレイパネルを提供することにある。
【課題を解決するための手段】
【００１１】
　上記目的を達成する本発明に係るプラズマディスプレイパネルは画像を表示する表示パネルとその表示パネルに取り付けられる多孔質パッドを具備することを特徴とする。
【００１２】
　前記プラズマディスプレイパネルにおける多孔質パッドは騷音／震動を吸収するとともに熱を伝導する材質からなることを特徴とする。
【００１３】
　前記プラズマディスプレイパネルは前記表示パネルに駆動信号を供給するための多数の回路要素が実装された印刷回路基板と、前記多孔質パッドと前記印刷回路基板の間に配置される放熱板をさらに具備することを特徴とする。
【００１４】
　前記プラズマディスプレイパネルは前記表示パネルと前記多孔質パッドの間に形成される熱伝導機能を持つ両面テープをさらに具備する。
【００１５】
　前記プラズマディスプレイパネルは前記表示パネルの前面に設置され、前記表示パネルから放出される光の透過率を調節するフィルターガラスと、前記印刷回路基板を覆うバックカバーをさらに具備することを特徴とする。
【００１６】
　前記プラズマディスプレイパネルは前記印刷回路基板と前記バックカバー間に形成される第２多孔質パッドをさらに具備することを特徴とする。
【００１７】
　前記プラズマディスプレイパネルにおける前記多孔質パッドはシリコン材質と発泡剤の混合物であることを特徴とすることを特徴とする。
【００１８】
　前記プラズマディスプレイパネルにおける前記発泡剤はポリウレタンフォームを含有することを特徴とする。
【００１９】
　前記プラズマディスプレイパネルは前記多孔質パッド上に塗布される粘着剤をさらに具備することを特徴とする。
【００２０】
　前記プラズマディスプレイパネルにおける粘着剤はアクリル材質であることを特徴とする。
【００２１】
　前記プラズマディスプレイパネルにおける多孔質パッドはほぼ８９％程度のシリコン材質と、ほぼ１０％程度の発泡剤と、ほぼ１％程度の粘着剤が混合されていることを特徴とする。
【００２２】
　前記プラズマディスプレイパネルにおける第２多孔質パッドは騷音／震動を吸収する材質からなることを特徴とする。
【００２３】
　本発明の実施態様に係るプラズマディスプレイパネルは、画像を表示する表示パネルと、前記表示パネルの背面に隣接したフレームと、前記フレームの背面に隣接して固定部材により連結される印刷回路基板と、前記表示パネルと前記フレームの間に配置されて前記表示パネルの駆動の際に発生する騷音／震動を吸収して前記騷音／震動が前記フレームに伝わるのを最小化する多孔質パッドを具備することを特徴とする。
【００２４】
　前記プラズマディスプレイパネルにおける多孔質パッドは、騷音／震動を吸収するとともに前記表示パネルから前記フレームに熱を伝えるように、熱伝導性物質からなることを特徴とする。
【００２５】
　前記プラズマディスプレイパネルにおいて、前記多孔質パッドはシリコンと発泡剤の混合物であることを特徴とする。
【００２６】
　前記プラズマディスプレイパネルにおいて、前記多孔質パッドは接着層を持ち、その接着層により表示パネルとフレームが接着されることを特徴とする。
【００２７】
　前記プラズマディスプレイパネルにおいて、前記多孔質パッドはほぼ８９％程度のシリコンと、１０％程度の発泡剤と、１％の粘着剤からなることを特徴とする。
【００２８】
　前記プラズマディスプレイパネルは、前面カバーと第２多孔質パッドを含むバックカバーとを備えたセットケースをさらに備え、前記第２多孔質パッドが前記印刷回路基板から前記表示パネルへの駆動信号供給の際に発生する騷音／震動を吸収するために前記印刷回路基板に隣接した内部表面に接着されることを特徴とする。
【００２９】
　プラズマディスプレイパネルが、前面カバーと印刷回路基板に隣接した内部表面に接着された第２多孔質パッドを含むバックカバーとを備えたセットケースをさらに備え、前記第２多孔質パッドが前記印刷回路基板から上記表示パネルへの駆動信号供給の際に発生する騷音／震動を吸収することを特徴とする。
【００３０】
　前記プラズマディスプレイパネルにおいて、前記多孔質パッドは騷音／震動を吸収することができ前記表示パネルから前記フレームに熱を伝えるようにシリコンと発泡剤の混合物からなることを特徴とする。
【００３１】
　前記プラズマディスプレイパネルにおいて、前記多孔質パッドは前記表示パネルと前記フレームに接着されるアクリル接着剤の層を持ち、前記多孔質パッドはほぼ８９％程度のシリコンと、１０％程度の発泡剤と、１％程度の接着剤を持つことを特徴とする。
【発明の効果】
【００３２】
　本発明のプラズマディスプレイパネルは表示パネルとフレームの間に多孔質パッドを形成させているので、表示パネル駆動の際に発生する騷音／震動を多孔質パッドが吸収して遮断する。これにより、本発明のプラズマディスプレイ表示パネルの騷音発生が最小化させることができる。
【発明を実施するための最良の形態】
【００３３】
　前記の目的以外に本発明の他の目的及び利点は添付した図面を参照した本発明の好ましい実施例に対する詳細な説明を通して明らかになるであろう。
【００３４】
　以下、本発明の実施形態を添付した図３ａ〜図７を参照して詳しく説明する。
　図３ａ及び図３ｂを参照すると、本発明の第１実施形態に係るプラズマディスプレイパネル（ＰＤＰ）が示されている。本ＰＤＰは画像を表示する表示パネル（２２）と、フレーム（または、放熱板）（２８）と、表示パネル（２２）で発生する騷音／震動がフレーム（２８）に伝わるのを遮断するための多孔質パッド（３２）と、印刷回路基板（３６）を具備する。
【００３５】
　表示パネル（２２）は前面基板（２６）と背面基板（２４）を具備する。背面基板（２４）には図示しない蛍光体が塗布される。前面基板（２６）は蛍光体で発生した光を透過させて所定の画像を表示する。
【００３６】
　本実施形態に係る表示パネル（２２）はその背面基板（２４）に多孔質パッド（３２）を取り付けて、その多孔質パッド（３２）を介して表示パネル（２２）とフレーム（２８）を結合させている。上記多孔質パッド（３２）は騷音及び震動を吸収する機能及び熱伝導機能を持つものとして形成する。このように、本実施形態は、表示パネル（２２）とフレーム（２８）の間に騷音及び震動を吸収する機能を持つ多孔質パッド（３２）が介在しているので、表示パネル（２２）駆動の際に発生する騷音／震動を吸収して、フレーム（２８）に伝わるのを遮断すると同時に、パッドが熱伝導機能を持つので表示パネル（２２）駆動の際に発生する熱をフレーム（２８）に伝えることができる。前述のように、表示パネル（２２）駆動の際に発生する騷音／震動は表示パネル（２２）内の物理的な要素により発生する。すなわち、隔壁を間に置いて対面された背面基板（２４）と前面基板（２６）の間で生じるプラズマ放電によって生成されたイオンが前面基板（２６）と衝突する際に、隔壁の高さの不均一による隔壁と前面基板（２６）とに段差があると、イオンが衝突する力によりその段差がある隔壁と前面基板（２６）の間で震動が発生する。このような、放電セル内の隔壁と前面基板（２６）との震動により表示パネル（２２）全体で騷音／震動が発生する。その騒音／震動を多孔質パッド（３２）で吸収させている。このように表示パネル（２２）で発生する騷音／震動を吸収させるための多孔質パッド（３２）は低い密度及び低い硬度を持つ多孔質の材質を持つものを用いる。
【００３７】
　多孔質パッド（３２）は図４に図示したようにシリコン（４６）に発泡剤（４８）混合させて製作し、製作されたパッドの前面と背面に接着剤（５０）を塗布させる。すなわち接着層を形成させる。この発泡剤（４８）にはポリウレタンフォームが含有される。これにより、発泡剤（４８）に含有されているポリウレタンフォームによって、パッドのシリコン（４６）内部に多数の孔が形成される。パッドの前面と背面に塗布する接着剤（５０）としてはアクリル材質のものを使用する。多孔質パッド（３２）のシリコン（４６）の含有量はほぼ８９％程度で、発泡剤（４８）の含有量はほぼ１０％程度で、粘着剤の含有量はほぼ１％程度である。このような、多孔質パッド（３２）に含有された発泡剤（４８）により多数の孔が形成された多孔質が表示パネル（２２）から伝播される騷音／震動を吸収する。また、表示パネル（２２）を駆動しているときに発生する熱はこの多孔質パッド（３２）に含有されたシリコン（４６）を通してフレーム（２８）に伝わるので、表示パネル（２２）で発生する熱を放熱させることができる。一方、多孔質パッド（３２）はその多孔性により外部からの衝撃を吸収することができる。
【００３８】
　印刷回路基板（３６）はフレーム（２８）に取り付けられ、表示パネル（２２）に所定の駆動信号を供給する。このために、印刷回路基板（３６）と表示パネル（２２）は図示しないフレキシブル回路板（ＦＰＣ）により連結される。印刷回路基板（３６）とフレーム（２８）はねじ（３０）により結合される。このために、フレーム（２８）にはねじ（３０）を挿入することができる突出部（３４）を設けている。
【００３９】
　このような本発明の第１実施形態に係るＰＤＰは、出荷される際に、図５に示したように、セットケース（４０）をさらに設ける。セットケース（４０）はフィルターガラス（４４）とバックカバー（４２）と備えている。すなわち、本ＰＤＰは表示パネルの前面にフィルターガラス（４４）が取り付けられ、回路基板を覆うようにバックカバー（４２）が取り付けられている。フィルターガラス（４４）は表示パネル（２２）から放出される光の透過率を調節する。バックカバー（４２）は外部の衝撃からＰＤＰを保護する。
【００４０】
　上記した本発明の第１実施形態に係るＰＤＰは、前述のように、表示パネル（２２）の駆動の際に発生する騷音／震動を表示パネル（２２）とフレーム（２８）の間に設けた多孔質パッド（３２）が吸収してフレーム（２８）に伝わるのを遮断するので、騷音／震動を最小化できる。したがって、表示パネル（２２）からの騷音／震動は多孔質パッド（３２）により遮断されるので、ＰＤＰの後面における印刷回路基板（３６）自体での騷音／震動だけ発生することになる。
【００４１】
　また、本発明の第１実施形態に係るＰＤＰは、表示パネル（２２）駆動の際に発生する熱を多孔質パッド（３２）を通してフレーム（２８）に送り、表示パネル（２２）駆動の際に発生する熱を放熱させることができる。
【００４２】
　図６を参照すると、本発明の第２実施形態に係るＰＤＰが示されている。このＰＤＰは表示パネル（５２）と、フレーム（または、放熱板）（５８）と、表示パネル（５２）とフレーム（５８）の間に形成される熱伝導性両面テープ（６４）と、熱伝導性両面テープ（６４）とフレーム（５８）の間に配置されて表示パネル（５２）で発生する騷音／震動がフレーム（５８）に伝播するのを遮断する多孔質パッド（６２）と、印刷回路基板（６６）を具備する。
【００４３】
　表示パネル（５２）は図示しない前面基板と背面基板を具備する。背面基板には図示しない蛍光体が塗布される。前面基板は蛍光体から発生された光を透過して所定の画像を表示する。
【００４４】
　表示パネル（５２）の背面基板には熱伝導性両面テープ（６４）が付着され、この熱伝導性両面テープ（６４）により表示パネル（５２）とフレーム（５８）が結合される。熱伝導性両面テープ（６４）は表示パネル（５２）駆動の際に発生する熱をフレーム（５８）に伝える役を果たす。このような、熱伝導性両面テープ（６４）は密度が高く、硬度が硬い物質を使用する。すなわち、表示パネル（５２）駆動の際に発生する熱を素早くフレーム（５８）に伝える。これにより、フレーム（５８）は表示パネル（５２）を支持すると同時に表示パネル（５２）の駆動の際に発生する熱を放熱させることができる。
【００４５】
　多孔質パッド（６２）は熱伝導性両面テープ（６４）とフレーム（２８）とを取り付ける。多孔質パッド（６２）は騷音及び震動を吸収する機能を持つので表示パネル（５２）の駆動の際に発生する騷音／震動が熱伝導性両面テープ（６４）を通してフレーム（５８）に伝わるのを吸収して遮断すると同時に、熱伝導機能を持つので熱伝導性両面テープ（６４）を通して伝わる熱をフレーム（５８）に伝播させる。このために、多孔質パッド（６２）は低い密度及び低い硬度の多孔質の材質からなる。
【００４６】
　多孔質パッド（６２）はシリコン（９６）に発泡剤（９８）を混合させて製作して、その製作されたパッドの前面と背面すなわち両面に接着剤（８０）を塗布する。発泡剤（９８）にはポリウレタンフォームが含有されている。これにより、パッドのシリコン（９６）内部には発泡剤（７８）に含有されるポリウレタンフォームにより多数の孔が形成される。パッドの前面と背面に塗布された粘着剤（８０）としてはアクリル材質を用いる。その際、多孔質パッド（６２）のシリコン（９６）の含有量はほぼ８９％程度で、発泡剤（９８）の含有量はほぼ１０％程度で、粘着剤の含有量はほぼ１％程度である。このような、発泡剤（７８）により形成された孔を有する多孔質パッド（６２）が表示パネル（５２）から伝えられる騷音／震動を吸収する。また、多孔質パッド（６２）に含有されたシリコン（７６）を通して表示パネル（５２）駆動の際に発生する熱をフレーム（５８）に伝えて表示パネル（５２）で発生する熱を放熱させることができる。一方、多孔質パッド（５２）はその多孔質性により外部からの衝撃を吸収する。
【００４７】
　印刷回路基板（６６）がフレーム（５８）に取り付けられて表示パネル（５２）に所定の駆動信号を供給する。このために、印刷回路基板（６６）と表示パネル（５２）は図示しないＦＰＣにより連結される。一方、印刷回路基板（６６）とフレーム（５８）は図示しないねじにより結合される。このために、フレーム（５８）はねじを挿入することができる突出部（５４）を具備する。
【００４８】
　このような本発明の第２実施形態に係るＰＤＰが出荷される際には、第１実施形態同様本ＰＤＰを取り囲むようにセットケース（７０）を取り付ける。すなわち、ケース（７０）にセットされた状態で出荷される。セットケース（７０）はフィルターガラス（５６）とバックカバー（６８）を具備する。フィルターガラス（５６）は表示パネル（５２）から放出される光の透過率を調節する。バックカバー（６８）は外部の衝撃からＰＤＰを保護する。
【００４９】
　このような、本発明の第２実施形態に係るＰＤＰにおいては、表示パネル（５２）の駆動の際に発生する騷音／震動を表示パネル（５２）とフレーム（５８）の間に設けた多孔質パッド（６２）が吸収してフレーム（５８）に伝わるのを遮断するので騷音／震動を最小化できる。したがって、表示パネル（５２）からの騷音／震動は多孔質パッド（６２）により遮断されるので、ＰＤＰの後面における印刷回路基板（６６）自体での騷音／震動だけが発生することになる。
【００５０】
　また、本発明の第２実施形態に係るＰＤＰにおいては、表示パネル（５２）の駆動の際に発生する熱が熱伝導性両面テープ（６４）及び多孔質パッド（６２）を通してフレーム（５８）に伝わるので、表示パネル（５２）駆動の際に発生する熱を放熱させることができる。
【００５１】
　図７を参照すると、本発明の第３実施形態に係るＰＤＰが図示されている。本ＰＤＰは表示パネル（７２）と、フレーム（または、放熱板）（７８）と、表示パネル（７２）で発生する騷音／震動がフレーム（７８）に伝わるのを遮断するための第１多孔質パッド（８２）と、印刷回路基板（７６）を具備する。
【００５２】
　表示パネル（７２）は図示しない前面基板と背面基板を具備する。背面基板には図示しない蛍光体が塗布される。前面基板は蛍光体から発生された光を透過して所定の画像を表示する。
【００５３】
　表示パネル（７２）の背面基板には第１多孔質パッド（８２）が取り付けられ、第１多孔質パッド（８２）により表示パネル（７２）とフレーム（７８）が結合されている。第１多孔質パッド（８２）は騷音及び震動を吸収する機能を持つので表示パネル（７２）の駆動の際に発生する騷音／震動がフレーム（７８）に伝わるのを吸収して遮断すると同時に、熱伝導機能を持つので表示パネル（７２）駆動の際に発生する熱をフレーム（７８）に伝える。このために、第１多孔質パッド（８２）は低い密度及び低い硬度を持つ多孔質の材質からなる。
【００５４】
　第１多孔質パッド（８２）はシリコン（１０６）に発泡剤（１０８）を混合させて製作して、製作されたパッドの両面に接着剤（１００）を塗布する。発泡剤（１０８）にはポリウレタンフォームが含有されている。これにより、パッドのシリコン（１０６）内部には発泡剤（１０８）に含有されるポリウレタンフォームにより多数の孔が形成される。パッドの前面と背面に塗布する接着剤（１００）としてはアクリル材質を使用する。第１多孔質パッド（８２）におけるシリコン（１０６）の含有量はほぼ８９％程度で、発泡剤（１０８）の含有量はほぼ１０％程度で、粘着剤の含有量はほぼ１％程度である。このような、第１多孔質パッド（８２）に含有された発泡剤（１０８）による多孔質性が表示パネル（７２）から伝えられる騷音／震動を吸収する。また、第１多孔質パッド（８２）に含有されたシリコン（１０６）を通して表示パネル（７２）の駆動の際に発生する熱がフレーム（７８）に伝播されるので、表示パネル（７２）で発生する熱を放熱させることができる。一方、第１多孔質パッド（８２）は多孔質により外部からの衝撃を吸収することができる。
【００５５】
　印刷回路基板（７６）はフレーム（７８）に取り付けられて表示パネル（７２）に所定の駆動信号を供給する。このために、印刷回路基板（７６）と表示パネル（７２）は図示しないＦＰＣにより連結される。一方、印刷回路基板（７６）とフレーム（７８）は図示しないねじにより結合される。このために、フレーム（７８）はねじを挿入することができる多数の突出部（７４）を具備する。このような印刷回路基板（７６）上に実装された電子部品などの駆動により印刷回路基板（７６）上で騷音／震動が発生する。
【００５６】
　本発明の第３実施形態に係るＰＤＰも出荷する時、フィルターガラス（９４）とバックカバー（９２）を具備するセットケース（９０）を取り付ける。フィルターガラス（９４）は表示パネル（７２）から放出される光の透過率を調節する。バックカバー（９２）は外部の衝撃からＰＤＰを保護する。また、印刷回路基板（７６）と対向されるバックカバー（９２）の内側面には印刷回路基板（７６）で発生する騷音／震動を遮断するための第２多孔質パッド（８６）が形成されている。この騷音／震動吸収機能を持つ第２多孔質パッド（８６）は上述した第１多孔質パッド（８２）と同一なので印刷回路基板（７６）で発生する騷音／震動を吸収する。
【００５７】
　このような、本発明の第３実施形態に係るＰＤＰにおいては、表示パネル（７２）駆動の際に発生する騷音／震動を表示パネル（７２）とフレーム（７８）の間に設けた第１多孔質パッド（８２）が吸収してフレーム（７８）に伝わるのを遮断するので騷音／震動を最小化できる。また、本発明の第３実施形態に係るＰＤＰにおいては、表示パネル（７２）に駆動信号を供給する印刷回路基板（７６）の駆動の際に発生する騷音／震動を騷音／震動吸収機能を持つ第２多孔質パッド（８６）が吸収する。
【００５８】
　以上説明した内容を通して当業者であれば本発明の技術思想を一脱しない範囲で多様な変更及び修正が可能である。したがって、本発明の技術的範囲は明細書の詳細な説明に記載した内容に限定されるのではなく特許請求の範囲によって決められなければならない。
【図面の簡単な説明】
【００５９】
【図１ａ】従来のプラズマディスプレイパネルの内部構造を示す図面である。
【図１ｂ】従来のプラズマディスプレイパネルの内部構造を示す図面である。
【図２】セットケースに従来のプラズマディスプレイパネルが設置されたことを示す図である。
【図３ａ】本発明の第１実施形態に係るプラズマディスプレイパネルの内部構造を示す分解斜視図である。
【図３ｂ】本発明の第１実施形態に係るプラズマディスプレイパネルの内部構造を示す断面図である。
【図４】図３ａ及び図３ｂに図示した多孔質パッドを示す断面図である。
【図５】セットケースに本発明の第１実施形態に係るプラズマディスプレイパネルがセットされた状態を示す図である。
【図６】本発明の第２実施形態に係るプラズマディスプレイパネルの内部構造を示す断面図である。
【図７】本発明の第３実施形態に係るプラズマディスプレイパネルの内部構造を示す断面図である。
【符号の説明】
【００６０】
２，２２，５２，７２：表示パネル 
４，２４：背面基板
６，２６：前面基板 
８，２８，５８，７８：フレーム
１０，３０：ねじ 
１２：両面テープ
１４，３４，５４，７４：突出部
１６，３６，６６，７６：印刷回路基板
２０，４０，７０，９０：セットケース
１７，４２，６８，９２：バックカバー
１８，４４，５６，９４：フィルターガラス
３２，６２，８２，８６：多孔質パッド
４６，９６，１０６：シリコン
４８，９８，１０８：発泡剤
５０，８０，１００：接着剤
【図１ａ】
2004038173.tif 000003
【図１ｂ】
2004038173.tif 000004
【図２】
2004038173.tif 000005
【図３ａ】
2004038173.tif 000006
【図３ｂ】
2004038173.tif 000007
【図４】
2004038173.tif 000008
【図５】
2004038173.tif 000009
【図６】
2004038173.tif 000010
【図７】
2004038173.tif 000011